(57)【要約】【課題】騒音が小さく、薄型に設計でき、組立作業性が良好で、コスト高にならず、摩耗も少ないディスククランパーを組み込んだ光ディスク装置を提供する。【解決手段】中央に円錐状凸部８ｄが形成された耐摩耗材よりなるクランパートップ８ａと、中心部にスピンドルモータ６の出力軸６ａの先端部を挿入する軸挿入筒８ｈが形成され、クランパートップ８ａに下方から上下可動に組み付けられると共に、外周部に複数形成された第一起立片８ｋの上端の係止爪８ｊをクランパー支持体９の開口部９ａの周縁に係止させることによって該開口部に取付られたクランパーボトム８ｂと、クランパートップ８ａとクランパーボトム８ｂとの間に挟着された圧縮コイルバネ８ｃとでディスククランパー８を構成し、クランパー支持体９の開口部９ａの上方に押さえ片９ｂを形成した光ディスク装置とする。【選択図】図２
2008269730.tif 000002
【特許請求の範囲】
【請求項１】
ターンテーブルを搭載したトラバースシャーシがその後端部でローダーシャーシに上下回動可能に取付けられ、ターンテーブルの上方にディスククランパーが配置されてローダーシャーシのクランパー支持体の開口部に回転自在に取付けられた光ディスク装置であって、
上記ディスククランパーは、中央に円錐状凸部が形成された耐摩耗材よりなるクランパートップと、中心部にスピンドルモータの出力軸の先端部を挿入する軸挿入筒が形成され、クランパートップに下方から上下可動に組み付けられると共に、外周部に複数形成された第一起立片の上端の係止爪を上記クランパー支持体の開口部の周縁に係止させることによって該開口部に取付られたクランパーボトムと、上記クランパートップと上記クランパーボトムとの間に挟着された圧縮コイルバネとで構成されており、
上記クランパー支持体の開口部の上方には、上記ターンテーブルとクランパーボトムとで光ディスクを挟持したときにクランパートップの円錐状凸部の頂部を押さえる押さえ片が形成されていることを特徴とする光ディスク装置。
【請求項２】
上記クランパートップの円錐状凸部の頂部が凸球面に形成され、この頂部と上記押さえ片との接触部分にグリースが塗布されていることを特徴とする請求項１に記載の光ディスク装置。
【請求項３】
上記クランパートップの円錐状凸部の裾部に、上記圧縮コイルバネの一端を受けるバネ受け段部が形成されていることを特徴とする請求項１又は請求項２に記載の光ディスク装置。
【請求項４】
上記クランパートップの円錐状凸部の中腹部に、上記圧縮コイルバネの一端を受けるバネ受け段部が形成されていることを特徴とする請求項１又は請求項２に記載の光ディスク装置。
【請求項５】
上記クランパーボトムの軸挿入筒の外側に、上記圧縮コイルバネの他端の位置ズレを抑える環状凸部が軸挿入筒と同心的に形成されていることを特徴とする請求項１ないし請求項４のいずれかに記載の光ディスク装置。
【請求項６】
上記クランパーボトムの外周部に、上端に係止爪を有する上記第一起立片と、上端に係止爪を有する第二起立片とが交互に複数ずつ形成されていると共に、上記クランパートップの外周部に、上記第一起立片を遊嵌させる起立片遊嵌用凹欠部と、上記第二起立片を下方から挿通させる起立片挿通口とが交互に複数ずつ形成されており、それぞれの起立片挿通口にそれぞれの第二起立片を下方から挿通して上端の係止爪を起立片挿通口の口縁に係止させることによって、上記クランパーボトムが上記クランパートップに上下可動に組み付けられていることを特徴とする請求項１ないし請求項５のいずれかに記載の光ディスク装置。
【発明の詳細な説明】
【技術分野】
【０００１】
本発明は、ＤＶＤやＣＤなどの光ディスクに記録・再生を行う光ディスク装置に関し、特に、光ディスクをチャックするディスククランパーを改良した光ディスク装置に関する。
【背景技術】
【０００２】
従来の一般的な光ディスク装置は、光ピックアップとターンテーブルが搭載されたトラバースシャーシをその後端部でローダーシャーシに上下回動可能に取付け、ターンテーブルの上方にディスククランパーを配置してメインシャーシのクランパー支持体の開口部に回転自在に取付けている。そして、光ディスクをトレイに載せてターンテーブルとディスククランパーの間に送り込んだときに、トラバースシャーシをカムスライダーによって上昇（上方に回動）させ、ターンテーブルとディスククランパーとで光ディスクの中央開口縁を挟持して光ディスクを回転させながら、光ピックアップからレーザービームを光ディスクに照射して記録・再生を行うように構成されている。
【０００３】
このような光ディスク装置に組み込まれるディスククランパーには、クランパートップとクランパーボトムの間にマグネットとヨークを内蔵し、ターンテーブルの上面にヨークを設けたマグネット方式のクランパーと、一端をバネで下方に付勢した溝型のプレートによってクランパーの上面中央の突起を押さえるバネ方式のクランパーとがある。
【０００４】
一方、クランパーの中心に調芯部材を上下可動に配置し、上下動させるクランパー保持部材とクランパーとの間に、クランパーをターンテーブルの方へ付勢する圧縮コイルバネを配置したディスククランパーが知られている（特許文献１）。また、上部クランパーにマグネットを保持させると共にターンテーブルにヨークを設け、上部クランパーとバッククランパーとの間にコイルバネを設けたディスククランパーも知られている（特許文献２）。更に、クランパ本体にマグネットを取付けると共に、クランパ本体とクランパリングの間に３つのコイルスプリングを介在させたディスククランパーも知られている（特許文献３）。
【特許文献１】特開２００４−１７１６５１号公報
【特許文献２】特開２００３−１５７６００号公報
【特許文献３】実開昭６２−１８７４４４号公報
【発明の開示】
【発明が解決しようとする課題】
【０００５】
しかしながら、従来のマグネット方式のディスククランパーは、薄型に設計できるという長所がある反面、クランパーがターンテーブルに磁着されたり離反したりするときの騒音（衝撃音）が大きく、しかも、マグネットやヨークを使用するのでコスト高になるという短所がある。また、従来のバネ方式のディスククランパーは、騒音が小さく、コスト高にならないという長所がある反面、プレートに弾接するクランパー上面中央の突起が回転に伴って摩耗し易く、薄型に設計することも難しいという短所がある。
【０００６】
これに対し、特許文献１のディスククランパーは、圧縮コイルバネを用いるため騒音を小さくできるけれども、圧縮コイルバネの他に調芯部材を組み込む必要があり、クランパー保持部材を上下動させる機構も設ける必要があることから、コスト高になるという短所がある。また、特許文献２，３のディスククランパーはいずれも、マグネットとコイルバネを併用して組み込むものであるから、やはりコスト高になり、組立作業性も良くないという短所がある。
【０００７】
本発明は上記事情の下になされたもので、その解決しようとする課題は、騒音が小さく、薄型に設計でき、組立作業性が良好で、コスト高にならず、摩耗も少ないディスククランパーを組み込んだ光ディスク装置を提供することにある。
【課題を解決するための手段】
【０００８】
上記課題を解決するため、本発明に係る光ディスク装置は、ターンテーブルを搭載したトラバースシャーシがその後端部でローダーシャーシに上下回動可能に取付けられ、ターンテーブルの上方にディスククランパーが配置されてローダーシャーシのクランパー支持体の開口部に回転自在に取付けられた光ディスク装置であって、
上記ディスククランパーは、中央に円錐状凸部が形成された耐摩耗材よりなるクランパートップと、中心部にスピンドルモータの出力軸の先端部を挿入する軸挿入筒が形成され、クランパートップに下方から上下可動に組み付けられると共に、外周部に複数形成された第一起立片の上端の係止爪を上記クランパー支持体の開口部の周縁に係止させることによって該開口部に取付られたクランパーボトムと、上記クランパートップと上記クランパーボトムとの間に挟着された圧縮コイルバネとで構成されており、
上記クランパー支持体の開口部の上方には、上記ターンテーブルとクランパーボトムとで光ディスクを挟持したときにクランパートップの円錐状凸部の頂部を押さえる押さえ片が形成されていることを特徴とするものである。
【０００９】
本発明の光ディスク装置においては、クランパートップの円錐状凸部の頂部が凸球面に形成され、この頂部と押さえ片との接触部分にグリースが塗布されていることが好ましい。
【００１０】
また、本発明の光ディスク装置においては、クランパートップの円錐状凸部の裾部に圧縮コイルバネの一端を受けるバネ受け段部が形成されていることが好ましく、クランパートップの円錐状凸部の中腹部に圧縮コイルバネの一端を受けるバネ受け段部が形成されていると一層好ましい。そして、クランパーボトムの軸挿入筒の外側に、圧縮コイルバネの他端の位置ズレを抑える環状凸部が軸挿入筒と同心的に形成されていることも好ましい。
【００１１】
更に、クランパーボトムの外周部に、上端に係止爪を有する上記第一起立片と、上端に係止爪を有する第二起立片とが交互に複数ずつ形成されると共に、上記クランパートップの外周部に、上記第一起立片を遊嵌させる起立片遊嵌用凹欠部と、上記第二起立片を下方から挿通させる起立片挿通口とが交互に複数ずつ形成され、それぞれの起立片挿通口にそれぞれの第二起立片を下方から挿通して上端の係止爪を起立片挿通口の口縁に係止させることによって、上記クランパーボトムが上記クランパートップに上下可動に組み付けられていることが好ましい。
【発明の効果】
【００１２】
本発明の光ディスク装置では、光ディスクがトレイに載置されてディスククランパーとターンテーブルの間に送られると、ターンテーブルを搭載したトラバースシャーシが上昇（上方へ回動）し、スピンドルモータの出力軸の先端がクランパーボトムの軸挿入筒に挿入されて、ディスククランパーとターンテーブルが同心的に位置決めされ、クランパーボトムと上昇するターンテーブルによって光ディスクの中央開口縁が挟持されると共に、ディスククランパーがターンテーブルに持ち上げられて、クランパートップの円錐状凸部の頂部がクランパー支持体の押さえ片に下方から当たる。このように円錐状凸部の頂部が当たると、クランパートップはそれ以上持ち上げられないが、クランパーボトムはターンテーブルによって更に持ち上げられて、圧縮コイルバネを押し縮めるため、この押し縮められた圧縮コイルバネの弾発力が作用するクランパーボトムとターンテーブルによって光ディスクが上下から強く挟持されて回転し、この光ディスクに光ピックアップからレーザービームが照射されて記録・再生が行われる。そして、記録・再生が終わると、上記と逆動作してディスククランパーとターンテーブルが離れ、光ディスクがトレイに載置されて取り出される。
【００１３】
本発明の光ディスク装置に取付けられるディスククランパーは、上記のようにクランパートップの円錐状凸部の頂部をクランパー支持体の押さえ片で押さえ、クランパートップとクランパーボトムとの間に挟着された圧縮コイルバネの弾発力を利用して、光ディスクをクランパーボトムとターンテーブルとで上下から挟持するものであるから、上述した光ディスクの一連の挟持動作中、及び、挟持解除動作中に発生する衝撃音などの騒音が、従来のマグネット方式のものに比べて遥かに小さくなる。しかも、比較的安価な圧縮コイルバネをクランパートップとクランパーボトムの間に挟着するだけであるから、部品点数が少なく、組立作業性が良好で、コストダウンを図ることができ、従来のバネ方式のクランパーよりも薄型に設計できるようになる。また、クランパートップが耐摩耗材からなるものであるため、円錐状凸部の頂部の摩耗が少なく、特に、頂部を凸球面に形成して該頂部と押さえ片との接触部分にグリースを塗布したものは、円錐状凸部の頂部が点接触に近い状態で接触し、且つ、グリースによって接触部分が潤滑されるので、摩耗が実質的に生じなくなる。
【００１４】
本発明の光ディスク装置において、クランパートップの円錐状凸部の裾部に圧縮コイルバネの一端を受けるバネ受け段部が形成されたものは、このバネ受け段部によって圧縮コイルバネの一端の取付安定性が向上するため、圧縮コイルバネが脱転し難くなる。そして、クランパートップの円錐状凸部の中腹部に圧縮コイルバネの一端を受けるバネ受け段部が形成されたものは、圧縮コイルバネの取付安定性の向上に加えて、ストロークが長くなるため、その分だけバネ定数を小さくして光ディスクの挟持力（クランパーボトムの押圧力）を安定させることができる。また、クランパーボトムの軸挿入筒の外側に、圧縮コイルバネの他端の位置ズレを抑える環状凸部が軸挿入筒と同心的に形成されたものは、圧縮コイルバネの他端の取付安定性も向上するので、圧縮コイルバネの脱転を確実に防止することができる。
【００１５】
更に、本発明の光ディスク装置において、クランパーボトムの外周部に、上端に係止爪を有する第一起立片と、上端に係止爪を有する第二起立片を交互に複数ずつ形成すると共に、上記クランパートップの外周部に、上記第一起立片を遊嵌させる起立片遊嵌用凹欠部と、上記第二起立片を下方から挿通させる起立片挿通口を交互に複数ずつ形成し、それぞれの起立片挿通口にそれぞれの第二起立片を下方から挿通して上端の係止爪を起立片挿通口の口縁に係止させることによってクランパーボトムを上記クランパートップに上下可動に組み付けたものは、後述するように、ディスククランパーを極く簡単に組み立ててクランパー支持体の開口部に取付けることができ、しかも、クランパーとターンテーブルが離れたときでも、第一起立片によって該開口部とディスククランパーをほぼ同心的な位置関係に保つことができる。
【発明を実施するための最良の形態】
【００１６】
以下、図面を参照して本発明の具体的な実施形態を詳述する。
【００１７】
図１は本発明の一実施形態に係る光ディスク装置の斜視図、図２はターンテーブルが下降した状態にある同装置の部分断面図、図３はターンテーブルが上昇してディスククランパーとの間に光ディスクを挟持した状態にある同装置の部分断面図、図４は同装置のディスククランパーの分解斜視図である。
【００１８】
この光ディスク装置は、図１に示すように、合成樹脂製のローダーシャーシ１の内側に、合成樹脂製のトラバースシャーシ２を、その後端部の左右二箇所でゴムダンパーと取付ネジを用いて上下回動可能に取付けたものであって、このトラバースシャーシ２を上下に揺動させるカムスライダー３がメインシャーシ１の前枠部の内側に取付けられている。
【００１９】
このトラバースシャーシ２には、ターンテーブル４と光ピックアップ５が搭載されており、ターンテーブル４は、図２，図３に示すように、トラバースシャーシ２の前部に搭載されたスピンドルモータ６の出力軸６ａに固着されている。そして、光ピックアップ５は、図１に示すように、トラバースシャーシ２に設けた２本のガイド軸７，７（主軸と副軸）に沿ってターンテーブル４に対し接近・離反可能に搭載されている。
【００２０】
また、ローダーシャーシ１の内側には、光ディスクをターンテーブル４とディスククランパー８の間に送り込むトレイ１０が前後方向にスライド可能に取付けられており、更に、カムスライダー３、光ピックアップ５、トレイ１０を作動させる駆動モータ（不図示）と駆動力伝達歯車機構（不図示）が、ローダーシャーシ１とトラバースシャーシ２に設けられている。
【００２１】
図１，図２に示すように、ターンテーブル４の上方に配置されたディスククランパー８は、ローダーシャーシ１の左右側壁間に架設された板金製のクランパー支持体９の開口部９ａに回転自在に取付けられている。このクランパー支持体９には、図３に示すようにディスククランパー８とターンテーブル４とで光ディスクＤを挟持したときにディスククランパー８の円錐状凸部８ｄの頂部を押さえる台形の押さえ片９ｂが、開口部９ａを跨ぐように形成されている。
【００２２】
上記のディスククランパー８は、図２，図３，図４に示すように、クランパートップ８ａとクランパーボトム８ｂと圧縮コイルバネ８ｃとで構成されており、従来のバネ方式のディスククランパーに比べると薄型になっている。
【００２３】
ディスククランパー８のクランパートップ８ａは、硬質合成樹脂や金属（例えばＳＥＣＣ等）などの耐摩耗材で作製されたものであって、この円形のクランパートップ８ａの半径はクランパー支持体９の開口部９ａの半径よりも少し小さく設定されている。そして、このクランパートップ８ａの中央には、頂部を凸球面とした円錐状凸部８ｄが形成されており、この円錐状凸部８ｄの裾部には、圧縮コイルバネ８ｃの一端（上端）を受けるバネ受け段部８ｅが環状に形成されている。また、このクランパートップ８ａの外周部には、後述するクランパーボトム８ｂの第一起立片８ｋを遊嵌させる起立片遊嵌用凹欠部８ｆと、後述する第二起立片８ｎを下方から挿通させる起立片挿通口８ｇとが、交互に３つずつ形成されている。
【００２４】
上記円錐状凸部８ｄの頂部は、図２に示すようにディスククランパー８とターンテーブル４が離れているときには、クランパー支持体９の押さえ片９ｂとの間に隙間を残しているが、図３に示すように光ディスクＤがクランパーボトム８ｂとターンテーブル４で挟持されてディスククランパー８が持ち上げられると、押さえ片９ｂに下方から圧接するようになっており、この円錐状凸部８ｄの頂部と押さえ片９ｂとの接触部分に潤滑用のグリース（不図示）が塗布されている。
【００２５】
ディスククランパー８のクランパーボトム８ｂは合成樹脂で射出成形されたものであって、この円形のクランパーボトム８ｂの中央には、スピンドルモータ６の出力軸６ａの先端が挿入される軸挿入筒８ｈが形成されており、その外側には環状凸部８ｉが軸挿入筒８ｈと同心的に形成されている。この環状凸部８ｉは、図２，図３に示すように圧縮コイルバネ８ｃの他端（下端）に嵌め込むことによって、圧縮コイルバネ８ｃの他端（下端）の位置ズレを抑えるものである。
【００２６】
また、このクランパーボトム８ｂの外周部には、上端に係止爪８ｊを有する第一起立片８ｋと、上端に係止爪８ｍを有する第二起立片８ｎとが交互に３つずつ形成されており、この第二起立片８ｎを図２に示すようにクランパートップ８ａの起立片挿通口８ｇに下方から挿通して上端の係止爪８ｍを起立片挿通口８ｇの口縁に係止させることによって、クランパーボトム８ｂがクランパートップ８ａに上下可動に且つ脱落しないように組み付けられている。そして、図２に示すように、第一起立片８ｋをクランパートップ８ａの起立片遊嵌用凹欠部８ｆに遊嵌し、上端の係止爪８ｊをクランパー支持体９の開口部９ａの周縁に係止させることによって、クランパーボトム８ｂが該開口部９ａに上下可動に且つ脱落しないように組み付けられている。
【００２７】
第一起立片８ｋは、ディスククランパー８の回転に支障がでないように、クランパートップ８ａの半径に等しい曲率半径で湾曲形成されており、第一起立片８ｋとクランパー支持体９の開口部９ａの周縁との間には隙間が確保されている。そして、第一起立片８ｋの幅寸法はクランパー支持体９の押さえ片９ｂの幅寸法よりも大きく設定されており、クランパー支持体９から押さえ片９ｂを切り起こして形成した跡の切溝部分に第一起立片８ｋの上端の係止爪８ｊが嵌まり込まないようになっている。
【００２８】
また、このクランパーボトム８ｂの下面外周部には厚肉の環状リブ８ｐが形成されており、図３に示すように、この環状リブ８ｐとターンテーブル４の外周部上面の環状リブ４ａによって光ディスクＤの中央開口縁がしっかりと挟持されるようになっている。
【００２９】
圧縮コイルバネ８ｃは、その自然のバネ長がクランパートップ８ａのバネ受け段部８ｅからクランパーボトム８ｂの上面（バネ受け面）までの間隔よりも少し長い、コイル径の一定したコイルバネであって、その一端（上端）はクランパートップ８ａのバネ受け段部８ｅに嵌め込まれており、その他端（下端）はクランパーボトム８ｂの環状凸部８ｉに外嵌されて位置ズレすることなくクランパーボトム８ｂのバネ受け面に圧接している。このように圧縮コイルバネ８ｃがクランパートップ８ａのバネ受け段部８ｅとクランパーボトム８ｂのバネ受け面との間に挟着されると、バネ受け段部８ｅによって圧縮コイルバネ８ｃの上端の取付安定性が向上し、環状凸部８ｉによって圧縮コイルバネ８ｃの下端の位置ずれが抑えられて取付安定性が向上するため、圧縮コイルバネ８ｃが脱転する心配はなくなる。
【００３０】
上記のディスククランパー８は、次の要領で作業性良く組み立てられてクランパー支持体９の開口部９ａに取付けられる。まず、クランパートップ８ａを裏返して、バネ受け段部８ｅに圧縮コイルバネ８ｃの一端を嵌め込む。そして、クランパーボトム８ｂを裏返して、環状凸部８ｉを圧縮コイルバネ８ｃの他端に嵌込み、その状態でクランパーボトム８ｂを押しながら、第一起立片８ｋをクランパートップ８ａの起立片遊嵌用凹欠部８ｆに遊嵌させると共に、第二起立片８ｎをクランパートップ８ａの起立片挿通口８ｇに挿通して、第二起立片８ｎの係止爪８ｍを起立片挿通口８ｇの口縁に係止させ、クランパーボトム８ｂをクランパートップ８ａに上下可動に且つ脱落しないように組み付けてディスククランパー８を組み立てる。次いで、このディスククランパー８をクランパー支持体９の開口部９ａに下方から嵌め込み、クランパーボトム８ｂの第一起立片８ｋを開口部９ａの周縁に係止させて、脱落しないように取付ける。
【００３１】
以上のようなディスククランパー８を取付けた光ディスク装置では、図１，図２に示すようにトラバースシャーシ２が下降（下方へ回動）してディスククランパー８とターンテーブル４が離れたトレイオープンの状態において、光ディスクをトレイ１０に載せてディスククランパー８とターンテーブル４の間に送り込むと、カムスライダー３がスライドして図３に示すようにトラバースシャーシ２が上昇（上方へ回動）し、スピンドルモータ６の出力軸６ａの先端がクランパーボトム８ｂの軸挿入筒８ｈに挿入されて、ディスククランパー８とターンテーブル４が同心的に位置決めされる。そして、クランパーボトム８ｂと上昇するターンテーブル４によって光ディスクＤの中央開口縁が挟持されると共に、ディスククランパー８がターンテーブル４で持ち上げられて、クランパートップ８ａの円錐状凸部８ｄの頂部が押さえ片９ｂに下方から圧接する。このときには、光ピックアップ５はガイド軸７，７に沿ってトラバースシャーシ２の後部へ移動する。
【００３２】
上記のように円錐状凸部８ｄの頂部が押さえ片９ｂに当たると、クランパートップ８ａはそれ以上持ち上げられないが、クランパーボトム８ｂはターンテーブル４によって更に持ち上げられて、圧縮コイルバネ８ｃを押し縮めるため、圧縮コイルバネ８ｃの弾発力が強くなり、この弾発力を受けるクランパーボトム８ｂとターンテーブル４によって光ディスクＤが上下から強く挟持されて回転する。すると、光ピックアップ７がガイド軸７，７に沿ってターンテーブル４の方に移動しながらレーザービームを光ディスクＤに照射し、記録・再生が行われる。そして、記録・再生が終わると、上記と逆動作してディスククランパー８とターンテーブル４が離れ、光ディスクＤがトレイ１０に載置されて取り出される。
【００３３】
この光ディスク装置に取付けられたディスククランパー８は、既述したようにクランパートップ８ａの円錐状凸部８ｄの頂部を押さえ片９ｂで押さえ、クランパートップ８ａのバネ受け段部８ｅとクランパーボトム８ｂとの間に挟着された圧縮コイルバネ８ｃの弾発力を利用して、光ディスクＤをクランパーボトム８ｂとターンテーブル４とで上下から挟持して回転させものであるから、上述した光ディスクの一連の挟持動作中、及び、挟持解除動作中に発生する衝撃音などの騒音が、従来のマグネット方式のものに比べると遥かに小さくなる。しかも、比較的安価な圧縮コイルバネ８ｃをクランパートップ８ａのバネ受け段部８ｅとクランパーボトム８ｂの間に挟着するだけであるから、部品点数が少なく、既述したように組立作業性が良好で、コストダウンを図ることができ、従来のバネ方式のクランパーよりも薄型に設計できるようになる。また、クランパートップ８ａが耐摩耗材からなるものであり、しかも、その円錐状凸部８ｄの頂部を凸球面に形成して該頂部と押さえ片９ｂとの接触部分にグリースを塗布してあるため、円錐状凸部８ｄの頂部が摩耗する心配は殆どない。
【００３４】
図５は本発明の光ディスク装置に組み込まれるディスククランパーの他の例を示す断面図である。
【００３５】
このディスククランパーは、クランパートップ８ａの円錐状凸部８ｄの中腹部に、圧縮コイルバネの一端（上端）を受けるバネ受け段部８ｅを環状に形成し、前述した圧縮コイルバネ８ｃよりもコイル径が小さい圧縮コイルバネ８０ｃの一端（上端）をバネ受け段部８ｅに嵌め込むと共に、他端（下端）をクランパーボトム８ｂの環状凸部８ｉの内側に嵌め込んで、クランパートップ８ａのバネ受け段部８ｅとクランパーボトム８ｂのバネ受け面との間に圧縮コイルバネ８０ｃを挟着している。
【００３６】
このディスククランパー８の他の構成は、前述したディスククランパー８と同様であるので、図５において同一部材に同一符号を付し、説明を省略する。
【００３７】
このようなディスククランパー８を取付けた光ディスク装置は、前述した光ディスク装置の作用効果に加えて、圧縮コイルバネ８０ｃのストロークを長くできる分だけバネ定数を小さくして光ディスクＤの挟持力を安定させることができるといった作用効果が得られる。
【図面の簡単な説明】
【００３８】
【図１】本発明の一実施形態に係る光ディスク装置の斜視図である。
【図２】ターンテーブルが下降した状態にある同装置の部分断面図である。
【図３】ターンテーブルが上昇してディスククランパーとの間に光ディスクを挟持した状態にある同装置の部分断面図である。
【図４】同装置のディスククランパーの分解斜視図である。
【図５】本発明の光ディスク装置に組み込まれるディスククランパーの他の例を示す断面図である。
【符号の説明】
【００３９】
１    ローダーシャーシ
２    トラバースシャーシ
３    カムスライダー
４    ターンテーブル
５    光ピックアップ
６    スピンドルモータ
６ａ  出力軸
８    ディスククランパー
８ａ  クランパートップ
８ｂ  クランパーボトム
８ｃ，８０ｃ  圧縮コイルバネ
８ｄ  円錐状凸部
８ｅ  バネ受け段部
８ｆ  起立片遊嵌用凹欠部
８ｇ  起立片挿通口
８ｈ  軸挿入筒
８ｉ  環状凸部
８ｊ，８ｍ  係止爪
８ｋ  第一起立片
８ｎ  第二起立片
９    クランパー支持体
９ａ  開口部
９ｂ  押さえ片
【図１】
2008269730.tif 000003
【図２】
2008269730.tif 000004
【図３】
2008269730.tif 000005
【図４】
2008269730.tif 000006
【図５】
2008269730.tif 000007